(57)【特許請求の範囲】
【請求項１】
仮係合用の弾性爪及び本係合用の係合部を有するものであって、軸部を主体に形成されるプラグと、当該プラグの軸部が挿入されることによってパネル部材等に取付けられ、かつ、そこに固定されるソケット部を有するソケット部材と、からなる部品に関して、上記ソケット部材を、ガーニッシュ類等の取付部材への取付けの際の基部を成すベース部と、当該ベース部に対して直角に設けられるものであって２本平行に設けられる脚部と、上記ベース部に対して直角に設けられるものであって上記脚部とは９０°位相の異なった位置に設けられる支柱状部材の、その先端部のところから上記ベース部に向って開くように設けられ、かつ、適度の弾性を有するとともに装着時には取付穴内にすぼめられた状態で納まるように形成された弾性爪と、からなるようにしたことを特徴とする仮係合用弾性爪及び本係合用係合部を有する部品。
【請求項２】
仮係合用の弾性爪及び本係合用の係合部を有するものであって、軸部を主体に形成されるプラグと、当該プラグの軸部が挿入されることによってパネル部材等に取付けられ、かつ、そこに固定されるソケット部を有するソケット部材と、からなる部品に関して、上記ソケット部材を、ガーニッシュ類等の取付部材への取付けの際の基部を成すベース部と、当該ベース部に対して直角に設けられるものであって２本平行に設けられる脚部と、当該脚部の先端部のところから上記ベース部に向って開くように設けられるものであって適度の弾性を有する弾性爪と、上記脚部の付け根部付近に設けられるものであって、所定の傾斜面からなるとともに、上記ガーニッシュ類の裏面側に設けられるパネル部材への係合に寄与する係合部と、からなるようにし、更に、上記ソケット部材の脚部のところに、当該脚部の先端部からその付け根部にかけて、上記弾性爪を収納するための溝状の収納部を、または上記弾性爪の弾性変形を助けるための逃げ部を、設けるようにした構成からなることを特徴とする仮係合用弾性爪及び本係合用係合部を有する部品。
【請求項３】
請求項１または請求項２記載の仮係合用弾性爪及び本係合用係合部を有する部品において、上記ソケット部材に設けられる弾性爪を、本ソケット部材がパネル部材の取付穴のところに装着された状態において、上記弾性爪の先端部が上記パネル部材に設けられた取付穴の開口端部のところに係合し、弾性爪全体が脚部にほぼ接した状態の閉じられた状態に収納されるようにした構成からなることを特徴とする仮係合用弾性爪及び本係合用係合部を有する部品。
【請求項４】
請求項１ないし請求項３記載の仮係合用弾性爪及び本係合用係合部を有する部品において、上記ソケット部材及びプラグを、プラスチック材にて、それぞれを一体的に成形するようにしたことを特徴とする仮係合用弾性爪及び本係合用係合部を有する部品。
【発明の詳細な説明】
【０００１】
【発明の属する技術分野】
本発明は、サンバイザ等の車両用内装品を保持するために用いられる部品に関するものであり、特に、その取付けに際して、ボルト等の締結手段を用いることなく、ガーニッシュ類等の車両用内装品の表面側から単純な押し込み操作をすることによって装着することのできるようにした嵌合式の取付部品に関するものである。
【０００２】
【従来の技術】
従来の、車両用内装品、例えばサンバイザ等、を保持する取付部品は、多くの場合は、プラスチック材等にて形成された取付部品本体が、ボルト等の締結手段を介してガーニッシュ類、及び、その下側に設けられるパネル部材等に取付けられるようになっているものである。ところで、この従来のものは、上記ガーニッシュ類等への取付けに当って、作業者が別途工具等を用いて、上記ボルトあるいはネジ等からなる締結手段をネジ止めしなければならず、その作業効率が良くないという問題点を有する。このような作業効率上の問題点を解決するために、例えば図７に示す如く、ソケット１０及びプラグ２０からなる２ピースタイプのものであって、パネル部材６０に設けられた取付穴６６０等へ嵌め込むことによって部品全体を取付けることのできるようにした嵌合式の取付部品が各種案出されている。
【０００３】
【発明が解決しようとする課題】
しかしながら、上記従来のものにおいては、図７に示す如く、ソケット１０の両脚部１１０、１１０’間にプラグが挿入された状態で、本取付部品がガーニッシュ５０及びパネル部材６０のところに装着されると、このような状態のものにおいては、当該取付部品をパネル部材６０等から簡単には取り外すことができないと言う問題点がある。すなわち、脚部１１０、１１０’のところから連続して設けられた弾性爪１２０は上方に開いた状態でパネル部材６０のところに係合した状態となっているからである。従って、このような状態のものにおいて、車両整備等の都合上、上記ガーニッシュ類５０を取り外す必要が生じた場合等においては、プラグ２０をソケット１０の両脚部１１０、１１０’間から引き抜いたとしても、ソケット１０の弾性爪１２０がパネル部材６０に引っかかり、ソケット１０を取り外すことができない。このような状態において、強引にソケット１０を矢印方向に引き抜くと、弾性爪１２０が脚部１１０、１１０’への接続部のところから折れてしまい、パネル部材６０の内部に残ってしまうこととなる。このような問題点を解決するために、ガーニッシュ類への仮装着（仮係合）時においては上記弾性爪が開いてガーニッシュ類から脱落しないようにする一方、パネル部材への本装着（本係合）時には上記弾性爪が拡がらないようにし、上記プラグを引き抜いた状態で上記ソケットを上方に引張ることによって、上記弾性爪も一緒に上記パネル部材のところから取り外す（引き抜く）ことのできるようにした嵌合式の取付部品を提供しようとするのが、本発明の目的（課題）である。
【０００４】
【課題を解決するための手段】
上記課題を解決するために、本発明においては、次のような手段を講ずることとした。すなわち、請求項１記載の発明においては、仮係合用の弾性爪及び本係合用の係合部を有するものであって、軸部を主体に形成されるプラグと、当該プラグの軸部が挿入されることによってパネル部材等に取付けられ、かつ、そこに固定されるソケット部を有するソケット部材と、からなる部品に関して、上記ソケット部材を、ガーニッシュ類等の取付部材への取付けの際の基部を成すベース部と、当該ベース部に対して直角に設けられるものであって２本平行に設けられる脚部と、上記ベース部に対して直角に設けられるものであって上記脚部とは９０°位相の異なった位置に設けられる支柱状部材の、その先端部のところから上記ベース部に向って開くように設けられ、かつ、適度の弾性を有するとともに装着時には取付穴内にすぼめられた状態で納まるように形成された弾性爪と、からなるようにした構成を採ることとした。
【０００５】
このような構成を採ることにより、本発明のものにおいては、本部品のガーニッシュ類等への取付けが、簡単な押込み操作にて効率良く行なわれることとなる。すなわち、まず、ソケット部材に設けられた脚部をガーニッシュ類に設けられた挿入孔に挿入するとともに、上記プラグの軸部を上記ソケット部材の両脚部間に仮係合状態に挿入させる。これによって、上記ソケット部材に設けられた支柱状部材の先端部のところから上方に向って開くように設けられた弾性爪が上記ガーニッシュ類の裏面側に係合して、本部品のガーニッシュ類への仮装着（仮係合）が成されることとなる。
【０００６】
このようにして、本部品がガーニッシュ類に仮装着された状態において、本ガーニッシュ類をパネル部材のところへ持って行き、上記仮装着されているソケット部材の脚部を上記パネル部材の取付穴に挿入させるとともに、脚部の付け根部に形成された係合部のところをパネル部材の取付穴開口端部に係合させる。そして、このような状態において、上記プラグの軸部を更に押し込むことによって、プラグの軸部が完全に上記両脚部間に挿入されて、上記プラグとソケット部材との完全結合が行なわれることとなる。このようなプラグとソケット部材との一体化（完全結合）によって、本部品は、上記ガーニッシュ類及びパネル部材等に確実に固定されることとなる。すなわち、本部品のガーニッシュ類等への取付け（装着）が行なわれることとなる。
【０００７】
次に、請求項２記載の発明について説明する。このものも、その基本な点は上記請求項１記載のものと同じである。すなわち、本発明においては、仮係合用の弾性爪及び本係合用の係合部を有するものであって、軸部を主体に形成されるプラグと、当該プラグの軸部が挿入されることによってパネル部材等に取付けられ、かつ、そこに固定されるソケット部を有するソケット部材と、からなる部品に関して、上記ソケット部材を、ガーニッシュ類等の取付部材への取付けの際の基部を成すベース部と、当該ベース部に対して直角に設けられるものであって２本平行に設けられる脚部と、当該脚部の先端部のところから上記ベース部に向って開くように設けられるものであって適度の弾性を有する弾性爪と、上記脚部の付け根部付近に設けられるものであって、所定の傾斜面からなるとともに、上記ガーニッシュ類の裏面側に設けられるパネル部材への係合に寄与する係合部と、からなるようにし、更に、上記ソケット部材の脚部のところに、当該脚部の先端部からその付け根部にかけて、上記弾性爪を収納するための溝状の収納部を、または上記弾性爪の弾性変形を助けるための逃げ部を、設けるようにした構成を採ることとした。
【０００８】
このような構成を採ることにより、本発明のものにおいては、ソケット部材を含めた本部品全体のガーニッシュ類等への取付けが、簡単な押込み操作にて効率良く行なわれることとなる。すなわち、まず、ソケット部材の脚部をガーニッシュ類に設けられた挿入孔に挿入するとともに、上記プラグの軸部を上記ソケット部材の両脚部間に仮係合状態に挿入させる。これによって、上記ソケット部材の脚部先端部のところから上方に向って開くように設けられた弾性爪が上記ガーニッシュ類の裏面側に係合して、本部品全体のガーニッシュ類への仮装着（仮係合）が成される。
【０００９】
このようにして、本部品がガーニッシュ類に仮装着された状態において、本ガーニッシュ類をパネル部材のところへ持って行き、上記仮装着されているソケット部材の脚部を上記パネル部材の取付穴に挿入させるとともに、脚部の付け根部に形成された係合部のところをパネル部材の取付穴開口端部に係合させる。そして、このような状態において、上記プラグの軸部を更に押し込むことによって、プラグの軸部が完全に上記両脚部間に挿入されて、上記プラグとソケット部材との完全結合が行なわれる。このようなプラグとソケット部材との一体化（完全結合）によって、本部品全体は、上記ガーニッシュ類及びパネル部材等に確実に固定されることとなる。すなわち、本部品のガーニッシュ類等への取付け（装着）が行なわれることとなる。
【００１０】
このような構成を採ることにより、本発明のものにおいては、本部品が上記ガーニッシュ類及びパネル部材に完全に取付けられた状態において、上記脚部の先端部のところに設けられた弾性爪は、脚部の、その長手方向に沿うように設けられた溝状の収納部内に収まることとなる。従って、本部品、特にソケット部材をガーニッシュ類及びパネル部材のところから取り外さねばならないようなときには、上記ソケット部材を上方に引張ることによって上記弾性爪も一緒にパネル部材の取付穴のところから取り外されることとなる（引き出されることとなる）。
【００１１】
次に、請求項３記載の発明について説明する。このものも、その基本的な点は、上記請求項１または請求項２記載のものと同じである。すなわち、本発明においては、請求項１または請求項２記載の仮係合用弾性爪及び本係合用係合部を有する部品に関して、上記ソケット部材に設けられる弾性爪を、本ソケット部材がパネル部材の取付穴のところに装着された状態において、上記弾性爪の先端部が上記パネル部材に設けられた取付穴の開口端部のところに係合し、弾性爪全体が脚部にほぼ接した状態の閉じられた状態に収納されるようにした構成を採ることとした。このような構成を採ることにより、本発明のものにおいては、本部品が上記ガーニッシュ類及びパネル部材に完全に取付けられた状態において、上記脚部のところに設けられた弾性爪は、脚部の、その側面部に沿うように収まることとなる。従って、本部品、特にソケット部材をガーニッシュ類及びパネル部材のところから取り外さねばならないようなときには、上記ソケット部材を上方に引張ることによって上記弾性爪も一緒にパネル部材の取付穴のところから取り外す（引き出す）ことができるようになる。
【００１２】
また、本発明のものにおいても、上記請求項２記載のものと同様、ガーニッシュ類等への装着が、簡単な押し込み操作にて行なわれるようになるとともに、本部品、特にソケット部材のガーニッシュ類及びパネル部材からの取り外し作業が単純な引張り作業にて円滑に行なえるようになる。そして、このような取り外し作業中において、上記弾性爪がパネル部材等に引っかかり、当該弾性爪が切損した状態でパネル部材の内部に残ってしまうと言うような不都合の生ずることも無い。
【００１３】
次に、請求項４記載の発明について説明する。このものも、その基本的な点は、上記請求項１ないし請求項３記載のものと同じである。その特徴とするところは、それぞれの部材をプラスチック材にて形成するようにしたことである。すなわち、本発明においては、請求項１ないし請求項３記載の仮係合用弾性爪及び本係合用係合部を有する部品に関して、上記ソケット部材及びプラグを、プラスチック材にて、それぞれを一体的に成形するようにした構成を採ることとした。このような構成を採ることにより、本発明のものにおいては、上記プラグ及びソケット部材を、それぞれインジェクション成形手段等により効率良く製造することができるようになる。従って、部品の製造コストの低減化を図ることができるようになる。
【００１５】
【発明の実施の形態】
本発明の実施の形態について、図１ないし図６を基に説明する。本実施の形態に関するものの、その構成は、図１に示す如く、軸部２１を主体に形成されるプラグ２と、当該プラグ２の軸部２１が挿入されるものであって平行に設けられた脚部１１、１１’等からなるソケット部を有するとともに、ガーニッシュ類５及びパネル部材６に取付けられ、かつ、そこに固定されることとなるソケット部材１と、からなることを基本とするものである。そして、これら構成からなるソケット部材１及びプラグ２は、インジェクション成形手段等により効率良く形成（製造）されるようになっているものである。なお、これらソケット部材１及びプラグ２は、それぞれが別部品として個々に成形される場合もあるし、または、ソケット部材１の一部とプラグ２の一部とが薄肉ヒンジ部を介して一体的に成形され、これら二つの部品１、２は常時連結された状態で取り扱われるように形成される場合もある。
【００１６】
このような構成からなるものにおいて、上記ソケット部材１は、例えば図２に示す如く、ガーニッシュ類５への取付け基盤を成すベース部１５と、当該ベース部１５の上方部に設けられるものであって他の部品、例えばサンバイザ９等の、その一部を保持する役目を果す保持部１９と、上記ベース部１５から垂直状に、かつ、ほぼ平行なように２本設けられる脚部１１、１１’と、これら脚部１１、１１’の、それぞれの先端部のところから上方に向って開くように設けられる弾性爪１２と、上記各脚部１１、１１’の付け根部に近いところに設けられるものであって傾斜面を有するように形成される係合部１６と、当該係合部１６と上記脚部１１、１１’の先端部との間に設けられる隆起部１４と、当該隆起部１４のところに設けられるものであって、上記脚部１１、１１’の、その付け根部から先端部にかけて設けられる溝状の収納部１３と、からなるものである。
【００１７】
このような構成からなるものにおいて、上記弾性爪１２は、図２に示す如く、通常は、上方に開いた状態となっており、本ソケット部材１がガーニッシュ類５に仮装着された状態においては、開いた状態の弾性爪１２の、その先端部１２１がガーニッシュ類５の裏面側に係合して、ソケット部材１を初めとした本部品全体を、上記ガーニッシュ類５から脱落させないようにしているものである。また、傾斜面からなる係合部１６は、図１に示す如く、ソケット部材１の脚部１１、１１’がパネル部材６の取付穴６６に嵌合した状態においては、係合部１６の傾斜面が上記取付穴６６の開口端部のところにくい込むように係合し、これによって本ソケット部材１を含む本部品全体をパネル部材６に確実に固定するようにしているものである。また、上記隆起部１４のところに設けられる収納部１３（図２参照）は、脚部１１、１１’の付け根部からその先端部にかけて溝状に形成されているものであり、例えば図１に示す如く、本ソケット部材１の脚部１１、１１’が完全にパネル部材６の取付穴６６内に嵌合された状態においては、上記弾性爪１２が収納されるようになっているものである。従って、このように収納された状態においては、例えば図１の実線図示の如く、本弾性爪１２の先端部１２１は取付穴６６の開口端部のところに係合して、その先端部１２１は拡がらないようになる。
【００１８】
次に、このような脚部１１、１１’及びこれに連続して設けられる弾性爪１２についての、その第一の変形例について、図３ないし図５を基に説明する。このものの、その特徴とするところは、脚部１１、１１’の付け根部付近に設けられる係合部１６と弾性爪１２との位置関係が、脚部１１、１１’の長手方向に対する直角断面内において９０°位相の異なった状態で設定されるようになっていることである。すなわち、弾性爪１２を脚部１１、１１’の側面部に設けるようにする（図３，図５参照）とともに、係合部１６を脚部１１、１１’の付け根部であって上記弾性爪１２の設けられる位置とは９０°位相の異なった位置に設けるようにしたことである（図４参照)。このような構成を採ることにより、本ソケット部材１をインジェクション成形手段にて成形する際において、製品の型抜きを容易にしているものである。
【００１９】
次に、第二の変形例に関するものについて、図６を基に説明する。このものは、ソケット部材１に設けられる脚部１１と弾性爪１２とが、それぞれ別個独立に設けられるようになっているものである。すなわち、脚部１１とは別個独立に、上記ベース部１５に対して直角に支柱状部材１２２が設けられるとともに、当該支柱状部材１２２の先端のところから上方のベース部１５に向って開くように弾性爪１２が設けられるようになっているものである。そして、上記脚部１１と支柱状部材１２２とは、その長手方向直角断面内において相互に９０°位相が異なるように設けられるようになっているものである。従って、上記脚部１１の付け根部に設けられる係合部１６と、上記支柱状部材１２２の先端部のところから上方に向って開くように設けられる弾性爪１２とは、相互に９０°位相が異なった状態で設けられることとなる。そして、これら脚部１１と支柱状部材１２２とによって形成される空間内にプラグ２の軸部２１が挿入されるようになっているものである。
【００２０】
次に、このような構成からなる本実施の形態のものについての、そのガーニッシュ類５等への取付手順（装着手順）について説明する。まず、図２または図５に示す如く、ソケット部材１の脚部１１、１１’をガーニッシュ類５に設けられた挿入孔５５内へ挿入し、ベース部１５がガーニッシュ類５の表面側に接触するように押し込む。このとき、上方に向って開いたように設けられている弾性爪１２は、一旦、上記挿入孔５５のところで、その先端部１２１がすぼめられるが、その先端部１２１が上記挿入孔５５を通過した後は、弾性により元の状態に拡がる。その結果、図２及び図５に示す如く、弾性爪１２の先端部１２１がガーニッシュ類５の裏面側に係合する。また、このような状態においてプラグ２の軸部２１を脚部１１、１１’間の途中まで挿入して仮係合状態に保持する。これによって、ソケット部材１を初めとした本部品の仮係合（仮装着）が行なわれることとなる。そして、このような状態においては、図２または図５に示す如く、弾性爪１２は上方に向って開いた状態となっており、弾性爪１２の先端部１２１はガーニッシュ類５の裏面側に係合することとなる。従って、本ソケット部材１を初めとした本部品全体はガーニッシュ類５から脱落したりするようなことが無い。
【００２１】
このような状態において、ガーニッシュ類５の挿入孔５５のところに装着されたソケット部材１の脚部１１、１１’のところを、図２及び図５に示す如く、パネル部材６の取付穴６６のところに嵌め込ませることによって、本部品全体のパネル部材６への取付け（固定）が行なわれる。具体的には、上記ソケット部材１を上記ガーニッシュ類５及びパネル部材６側へ押し込むことによって、ソケット部材１に設けられた脚部１１、１１’を、その付け根部のところまで上記パネル部材６に設けられた取付穴６６内に差し込ませる（挿入する）。そして、このような状態において、プラグ２の軸部２１を上記脚部１１、１１’間に完全に挿入させる（図１，図４参照）。これによって脚部１１、１１’の付け根部付近に設けられた係合部１６の傾斜面のところが、パネル部材６に設けられた取付穴６６の開口端部のところに、食い込むように係合する。これによって、本部品のガーニッシュ類５及びパネル部材６への取付け（固定）が完了することとなる。なお、このような状態においては、上記弾性爪１２は、図１及び図３の実線図示の如く、溝状の収納部１３内あるいは脚部１１、１１’の側面部に形成された逃げ部１１１（図３参照）のところに収まっている。そして、弾性爪１２の先端部１２１はパネル部材６に設けられた取付穴６６の開口端部のところに接触した状態となる。
【００２２】
次に、このような構成からなる本実施の形態のものについての、その作用等について説明する。すなわち、本実施の形態のものにおいては、ソケット部材１を初めとした本部品全体のガーニッシュ類５等への取付けが、簡単な押込み操作にて効率良く行なわれることとなる。すなわち、まず、図２及び図５に示す如く、ソケット部材１の脚部１１、１１’をガーニッシュ類５に設けられた挿入孔５５に挿入するとともに、上記プラグ２の軸部２１を上記ソケット部材１の両脚部１１、１１’間に仮係合状態に挿入させる。これによって、上記ソケット部材１の脚部１１、１１’の先端部のところから上方に向って開くように設けられた弾性爪１２が上記ガーニッシュ類５の裏面側に係合して、本部品のガーニッシュ類５への仮装着（仮係合）が成される。そして、このような状態においては、上記弾性爪１２の、その先端部１２１がガーニッシュ類５に係合することとなるので、ソケット部材１を含めた本部品全体が上記ガーニッシュ類５から脱落したりするようなことが無い。
【００２３】
次に、このようにして、本部品がガーニッシュ類５に仮装着された状態において、ガーニッシュ類５をパネル部材６のところへ持って行き、上記仮装着されているソケット部材１の脚部１１、１１’を上記パネル部材６の取付穴６６に挿入させるとともに、脚部１１、１１’の付け根部に形成された係合部１６のところをパネル部材６の取付穴６６の開口端部に係合させる。そして、このような状態において、上記プラグ２の軸部２１を更に押し込む。これによって、プラグ２の軸部２１が完全に上記両脚部１１、１１’間に挿入されて、上記プラグ２とソケット部材１との完全結合が行なわれる。このようなプラグ２とソケット部材１との一体化（完全結合）によって、本部品は、上記ガーニッシュ類５及びパネル部材６等に確実に固定されることとなる。すなわち、本部品のガーニッシュ類等への取付け（装着）が行なわれることとなる（図１，図３参照）。そして、このような状態においては、本部品を形成するソケット部材１の、その脚部１１、１１’のところに設けられた弾性爪１２は、その全体が、図１の実線図示あるいは図３の実線図示の如く、収納部１３内にあるいは逃げ部１１１のところに収まっており、全体として閉じた状態となっている。そして、本弾性爪１２の、その先端部１２１は、パネル部材６に設けられた取付穴６６の開口端部のところに係合するようになっている。従って、このような状態において、本部品、特に、ソケット部材１を取り外そう（引き抜こう）とした場合には、上記弾性爪１２は、上記脚部１１、１１’と一緒に取付穴６６のところから引き抜かれることとなる。従って、弾性爪１２をパネル部材６内に切損させた状態で残してしまうと言うようなおそれも無い。
【００２４】
【発明の効果】
本発明によれば、仮係合用の弾性爪及び本係合用の係合部を有するものであって、軸部を主体に形成されるプラグと、当該プラグの軸部が挿入されることによってパネル部材等に取付けられ、かつ、そこに固定されるソケット部を有するソケット部材と、からなる部品に関して、上記ソケット部材を、ガーニッシュ類等の取付部材への取付けの際の基部を成すベース部と、当該ベース部に対して直角に設けられるものであって２本平行に設けられる脚部と、上記ベース部に対して直角に設けられる支柱状部材の先端部のところから上記ベース部に向って開くように設けられるものであって適度の弾性を有する弾性爪と、上記脚部の付け根部付近に設けられるものであって、所定の傾斜面からなるとともに、上記ガーニッシュ類の裏面側に設けられるパネル部材への係合に寄与する係合部と、からなるようにした構成を採ることとしたので、本部品のガーニッシュ類等への取付けが、簡単な押込み操作にて効率良く行なわれるようになった。
【００２５】
また、ソケット部材の脚部をガーニッシュ類に設けられた挿入孔に挿入するとともに、上記プラグの軸部を上記ソケット部材の両脚部間に仮係合状態に挿入させることによって、上記ソケット部材の脚部先端部のところから上方に向って開くように設けられた弾性爪を上記ガーニッシュ類の裏面側に係合させ、これによって本部品全体をガーニッシュ類へ仮装着（仮係合）させることができるようにしたので、本部品を仮装着時に上記ガーニッシュ類から脱落させたりするおそれが無くなった。
【００２６】
また、パネル部材の取付穴のところに、本部品特にソケット部材が取付けられた状態においては、上記ソケット部材の脚部のところに設けられる弾性爪は、その全体が収納部あるいは逃げ部内に収納されて閉じられた状態となっているとともに、その先端部のところは、パネル部材に設けられた取付穴の、その開口端部のところに係合するようになっているので、本部品をガーニッシュ類及びパネル部材のところから取り外さねばならないようなときには、上記ソケット部材を上方に引張ることによって上記弾性爪も一緒にパネル部材の取付穴のところから取り外すことができるようになった。その結果、本部品を取り外す際に、ソケット部材に設けられた弾性爪を切損させた状態でパネル部材内に残してしまうと言うような不都合の生ずるおそれが無くなった。
【図面の簡単な説明】
【図１】本発明の全体構成を示すものであって、ガーニッシュ類及びパネル部材等への装着状態を示す図である。
【図２】本発明の全体構成を示すものであって、ガーニッシュ類への仮装着状態を示す図である。
【図３】本発明にかかる第一の変形例についてのガーニッシュ類及びパネル部材等への装着状態、特に弾性爪の係合状態を示す図である。
【図４】第一の変形例についてのガーニッシュ類及びパネル部材等への装着状態、特に係合部の係合状態を示す図である。
【図５】第一の変形例についてのガーニッシュ類への仮装着状態を示す図である。
【図６】本発明にかかる第二の変形例についての、その全体構成を示す斜視図である。
【図７】従来例のものにおけるガーニッシュ類及びパネル部材への装着状態を示す図である。
【符号の説明】
１  ソケット部材
１１  脚部
１１’  脚部
１１１  逃げ部
１２  弾性爪
１２２  支柱状部材
１３  収納部
１４  隆起部
１５  ベース部
１６  係合部
１９  保持部
２  プラグ
２１  軸部
５  ガーニッシュ類
５５  挿入孔
６  パネル部材
６６  取付穴
９  他の部品（サンバイザ）
【図１】
0004381527.tif 000002
【図２】
0004381527.tif 000003
【図３】
0004381527.tif 000004
【図４】
0004381527.tif 000005
【図５】
0004381527.tif 000006
【図６】
0004381527.tif 000007
【図７】
0004381527.tif 000008